【手続補正書】
【提出日】平成29年10月26日(2017.10.26)
【手続補正１】
【補正対象書類名】特許請求の範囲
【補正対象項目名】全文
【補正方法】変更
【補正の内容】
【特許請求の範囲】
【請求項１】
第１のワイヤレスデバイスから第２のワイヤレスデバイスに送られるべきブロック確認応答（ＢＡ）フレームのためのブロック確認応答ビットマップのサイズを選択するための方法であって、
前記第２のワイヤレスデバイスから受信されたいくつかのデータフレームの送信レートを決定することと、
前記決定された送信レートに少なくとも部分的に基づいて、前記ブロック確認応答ビットマップの前記サイズを選択することと、
前記第２のワイヤレスデバイスに送信されるべき前記ＢＡフレーム中に前記ブロック確認応答ビットマップを埋め込むことと、
を備える、方法。
【請求項２】
前記ブロック確認応答ビットマップの前記サイズは、前記ブロック確認応答ビットマップが前記第２のワイヤレスデバイスに送信されるべきデータシンボルの数に少なくとも部分的に基づいてさらに選択される、請求項１に記載の方法。
【請求項３】
前記選択することは、
前記決定された送信レートがしきい値よりも小さいかまたはそれに等しい場合、前記ブロック確認応答ビットマップのために比較的小さいサイズＳを選択することと、ここにおいて、Ｓは１よりも大きい整数であり、
前記決定された送信レートが前記しきい値よりも大きい場合、前記ブロック確認応答ビットマップのために比較的大きいサイズＬを選択することと、ここにおいて、Ｌは、Ｓの値の２倍に等しいかまたはそれよりも大きい整数である、
を備える、請求項１に記載の方法。
【請求項４】
Ｓは８バイトに等しく、Ｌは２Ｎ＊Ｓバイトに等しく、Ｎは１よりも大きい整数である、請求項３に記載の方法。
【請求項５】
前記しきい値は、前記比較的小さいサイズの前記ブロック確認応答ビットマップが基本送信レートで前記第２のワイヤレスデバイスに送信され得るのと同じまたはより小さい送信持続時間内に、前記比較的大きいサイズの前記ブロック確認応答ビットマップが前記第２のワイヤレスデバイスに送信され得る最小送信レートを示す、請求項３に記載の方法。
【請求項６】
前記最小送信レートは４８Ｍｂｐｓを備え、前記基本送信レートは１２Ｍｂｐｓまたは２４Ｍｂｐｓを備える、請求項５に記載の方法。
【請求項７】
前記決定することは、
前記受信されたデータフレームのうちの１つのヘッダから変調およびコーディング方式（ＭＣＳ）を抽出することと、
前記抽出されたＭＣＳに少なくとも部分的に基づいて、前記決定された送信レートを導出することと、
を備える、請求項１に記載の方法。
【請求項８】
前記導出することは、
前記ＭＣＳから探索鍵を生成することと、
ＭＣＳ値と送信レートとの間のいくつかのマッピングを記憶するルックアップテーブルから前記決定された送信レートを取り出すために前記探索鍵を使用することと、
を備える、請求項７に記載の方法。
【請求項９】
ワイヤレスデバイスのプロセッサによって実行されたとき、前記ワイヤレスデバイスに、
他のワイヤレスデバイスから受信されたいくつかのデータフレームの送信レートを決定することと、
前記決定された送信レートに少なくとも部分的に基づいて、ブロック確認応答ビットマップのサイズを選択することと、
前記他のワイヤレスデバイスに送信されるべきブロック確認応答（ＢＡ）フレーム中に前記ブロック確認応答ビットマップを埋め込むことと、
を備える動作を実行させるプログラム命令を含む非一時的コンピュータ可読媒体。
【請求項１０】
前記ブロック確認応答ビットマップの前記サイズは、前記ブロック確認応答ビットマップが前記他のワイヤレスデバイスに送信されるべきデータシンボルの数に少なくとも部分的に基づいてさらに選択される、請求項９に記載の非一時的コンピュータ可読媒体。
【請求項１１】
前記ブロック確認応答ビットマップの前記サイズを選択するための前記命令の実行は、前記ワイヤレスデバイスに、
前記決定された送信レートがしきい値よりも小さいかまたはそれに等しい場合、前記ブロック確認応答ビットマップのために比較的小さいサイズＳを選択することと、ここにおいて、Ｓは１よりも大きい整数であり、
前記決定された送信レートが前記しきい値よりも大きい場合、前記ブロック確認応答ビットマップのために比較的大きいサイズＬを選択することと、ここにおいて、Ｌは、Ｓの値の２倍に等しいかまたはそれよりも大きい整数である、
を行わせる、請求項９に記載の非一時的コンピュータ可読媒体。
【請求項１２】
ワイヤレスデバイスのプロセッサによって実行されたとき、前記ワイヤレスデバイスに、請求項４〜８のいずれか一項に従ったステップを備える動作を実行させるプログラム命令をさらに含む、請求項９〜１１のいずれか一項に記載の非一時的コンピュータ可読媒体。
【請求項１３】
ワイヤレスデバイスであって、
他のワイヤレスデバイスから受信されたいくつかのデータフレームの送信レートを決定するための手段と、
前記決定された送信レートに少なくとも部分的に基づいてブロック確認応答ビットマップのサイズを選択するための手段と、
前記他のワイヤレスデバイスに送信されるべきブロック確認応答（ＢＡ）フレーム中に前記ブロック確認応答ビットマップを埋め込むための手段と、
を備える、ワイヤレスデバイス。
【請求項１４】
前記ブロック確認応答ビットマップの前記サイズは、前記ブロック確認応答ビットマップが前記他のワイヤレスデバイスに送信されるべきであるデータシンボルの数に少なくとも部分的に基づいてさらに選択される、請求項１３に記載のワイヤレスデバイス。
【請求項１５】
選択するための前記手段は、
前記決定された送信レートがしきい値よりも小さいかまたはそれに等しい場合、前記ブロック確認応答ビットマップのために比較的小さいサイズＳを選択することと、ここにおいて、Ｓは１よりも大きい整数であり、
前記決定された送信レートが前記しきい値よりも大きい場合、前記ブロック確認応答ビットマップのために比較的大きいサイズＬを選択することと、ここにおいて、Ｌは、Ｓの値の２倍に等しいかまたはそれよりも大きい整数である、
を行う、請求項１３に記載のワイヤレスデバイス。
【手続補正２】
【補正対象書類名】明細書
【補正対象項目名】００９３
【補正方法】変更
【補正の内容】
【００９３】
[0093]上記の明細書では、実施形態について、それの特定の例示的な実施形態を参照しながら説明した。しかしながら、添付の特許請求の範囲に記載された本開示のより広い範囲から逸脱することなく、様々な改変および変更がそれに行われ得ることは明らかであろう。したがって、本明細書および図面は、限定的な意味ではなく例示的な意味で考慮されるべきである。
以下に、本願の出願当初の特許請求の範囲に記載された発明を付記する。
［Ｃ１］
第１のワイヤレスデバイスから第２のワイヤレスデバイスに送られるべきブロック確認応答（ＢＡ）フレームのためのブロック確認応答ビットマップのサイズを選択するための方法であって、
前記第２のワイヤレスデバイスから受信されたいくつかのデータフレームの送信レートを決定することと、
前記決定された送信レートに少なくとも部分的に基づいて、前記ブロック確認応答ビットマップの前記サイズを選択することと、
前記第２のワイヤレスデバイスに送信されるべき前記ＢＡフレーム中に前記ブロック確認応答ビットマップを埋め込むことと、
を備える、方法。
［Ｃ２］
前記ブロック確認応答ビットマップの前記サイズは、前記ブロック確認応答ビットマップが前記第２のワイヤレスデバイスに送信されるべきデータシンボルの数に少なくとも部分的に基づいてさらに選択される、Ｃ１に記載の方法。
［Ｃ３］
前記選択することは、
前記決定された送信レートがしきい値よりも小さいかまたはそれに等しい場合、前記ブロック確認応答ビットマップのために比較的小さいサイズＳを選択することと、ここにおいて、Ｓは１よりも大きい整数であり、
前記決定された送信レートが前記しきい値よりも大きい場合、前記ブロック確認応答ビットマップのために比較的大きいサイズＬを選択することと、ここにおいて、Ｌは、Ｓの値の２倍に等しいかまたはそれよりも大きい整数である、
を備える、Ｃ１に記載の方法。
［Ｃ４］
Ｓは８バイトに等しく、Ｌは２N＊Ｓバイトに等しく、Ｎは１よりも大きい整数である、Ｃ３に記載の方法。
［Ｃ５］
前記しきい値は、前記比較的小さいサイズの前記ブロック確認応答ビットマップが基本送信レートで前記第２のワイヤレスデバイスに送信され得るのと同じまたはより小さい送信持続時間内に、前記比較的大きいサイズの前記ブロック確認応答ビットマップが前記第２のワイヤレスデバイスに送信され得る最小送信レートを示す、Ｃ３に記載の方法。
［Ｃ６］
前記最小送信レートは４８Ｍｂｐｓを備え、前記基本送信レートは１２Ｍｂｐｓまたは２４Ｍｂｐｓを備える、Ｃ５に記載の方法。
［Ｃ７］
前記決定することは、
前記受信されたデータフレームのうちの１つのヘッダから変調およびコーディング方式（ＭＣＳ）を抽出することと、
前記抽出されたＭＣＳに少なくとも部分的に基づいて、前記決定された送信レートを導出することと、
を備える、Ｃ１に記載の方法。
［Ｃ８］
前記導出することは、
前記ＭＣＳから探索鍵を生成することと、
ＭＣＳ値と送信レートとの間のいくつかのマッピングを記憶するルックアップテーブルから前記決定された送信レートを取り出すために前記探索鍵を使用することと、
を備える、Ｃ７に記載の方法。
［Ｃ９］
前記データフレームを受信することに関連する復号問題に応答して、前記第１のワイヤレスデバイスが拡張フレーム間スペース（ＥＩＦＳ）持続時間を採用することを防ぐこと、
をさらに備える、Ｃ１に記載の方法。
［Ｃ１０］
ワイヤレスデバイスであって、
プロセッサと、
前記プロセッサによって実行されたとき、前記ワイヤレスデバイスに、
他のワイヤレスデバイスから受信されたいくつかのデータフレームの送信レートを決定することと、
前記決定された送信レートに少なくとも部分的に基づいて、ブロック確認応答ビットマップのサイズを選択することと、
前記他のワイヤレスデバイスに送信されるべきブロック確認応答（ＢＡ）フレーム中に前記ブロック確認応答ビットマップを埋め込むことと、
を行わせる命令を記憶するメモリと、
を備える、ワイヤレスデバイス。
［Ｃ１１］
前記ブロック確認応答ビットマップの前記サイズは、前記ブロック確認応答ビットマップが前記他のワイヤレスデバイスに送信されるべきデータシンボルの数に少なくとも部分的に基づいてさらに選択される、Ｃ１０に記載のワイヤレスデバイス。
［Ｃ１２］
前記ブロック確認応答ビットマップの前記サイズを選択するための前記命令の実行は、前記ワイヤレスデバイスに、
前記決定された送信レートがしきい値よりも小さいかまたはそれに等しい場合、前記ブロック確認応答ビットマップのために比較的小さいサイズＳを選択することと、ここにおいて、Ｓは１よりも大きい整数であり、
前記決定された送信レートが前記しきい値よりも大きい場合、前記ブロック確認応答ビットマップのために比較的大きいサイズＬを選択することと、ここにおいて、Ｌは、Ｓの値の２倍に等しいかまたはそれよりも大きい整数である、
を行わせる、Ｃ１０に記載のワイヤレスデバイス。
［Ｃ１３］
Ｓは８バイトに等しく、Ｌは２N＊Ｓバイトに等しく、Ｎは１よりも大きい整数である、Ｃ１２に記載のワイヤレスデバイス。
［Ｃ１４］
前記しきい値は、前記比較的小さいサイズの前記ブロック確認応答ビットマップが基本送信レートで前記他のワイヤレスデバイスに送信され得るのと同じまたはより小さい送信持続時間内に、前記比較的大きいサイズの前記ブロック確認応答ビットマップが前記他のワイヤレスデバイスに送信され得る最小送信レートを示す、Ｃ１２に記載のワイヤレスデバイス。
［Ｃ１５］
前記最小送信レートは４８Ｍｂｐｓを備え、前記基本送信レートは１２Ｍｂｐｓおよび２４Ｍｂｐｓからなるグループからの１つを備える、Ｃ１４に記載のワイヤレスデバイス。
［Ｃ１６］
前記送信レートを決定するための前記命令の実行は、前記ワイヤレスデバイスに、
前記受信されたデータフレームのうちの１つのヘッダから変調およびコーディング方式（ＭＣＳ）を抽出することと、
前記抽出されたＭＣＳに少なくとも部分的に基づいて、前記決定された送信レートを導出することと、
を行わせる、Ｃ１０に記載のワイヤレスデバイス。
［Ｃ１７］
前記決定された送信レートを導出するための前記命令の実行は、前記ワイヤレスデバイスに、
前記ＭＣＳから探索鍵を生成することと、
ＭＣＳ値と送信レートとの間のいくつかのマッピングを記憶するルックアップテーブルに前記探索鍵を与えることと、
前記探索鍵に少なくとも部分的に基づいて、前記ルックアップテーブルから前記決定された送信レートを取り出すことと、
を行わせる、Ｃ１６に記載のワイヤレスデバイス。
［Ｃ１８］
前記命令の実行は、前記ワイヤレスデバイスに、
前記データフレームを受信することに関連する復号問題に応答して、拡張フレーム間スペース（ＥＩＦＳ）持続時間を使用することを防ぐこと、
をさらに行わせる、Ｃ１０に記載のワイヤレスデバイス。
［Ｃ１９］
ワイヤレスデバイスのプロセッサによって実行されたとき、前記ワイヤレスデバイスに、
他のワイヤレスデバイスから受信されたいくつかのデータフレームの送信レートを決定することと、
前記決定された送信レートに少なくとも部分的に基づいて、ブロック確認応答ビットマップのサイズを選択することと、
前記他のワイヤレスデバイスに送信されるべきブロック確認応答（ＢＡ）フレーム中に前記ブロック確認応答ビットマップを埋め込むことと、
を備える動作を実行させるプログラム命令を含む非一時的コンピュータ可読媒体。
［Ｃ２０］
前記ブロック確認応答ビットマップの前記サイズは、前記ブロック確認応答ビットマップが前記他のワイヤレスデバイスに送信されるべきデータシンボルの数に少なくとも部分的に基づいてさらに選択される、Ｃ１９に記載の非一時的コンピュータ可読媒体。
［Ｃ２１］
前記ブロック確認応答ビットマップの前記サイズを選択するための前記命令の実行は、前記ワイヤレスデバイスに、
前記決定された送信レートがしきい値よりも小さいかまたはそれに等しい場合、前記ブロック確認応答ビットマップのために比較的小さいサイズＳを選択することと、ここにおいて、Ｓは１よりも大きい整数であり、
前記決定された送信レートが前記しきい値よりも大きい場合、前記ブロック確認応答ビットマップのために比較的大きいサイズＬを選択することと、ここにおいて、Ｌは、Ｓの値の２倍に等しいかまたはそれよりも大きい整数である、
を行わせる、Ｃ１９に記載の非一時的コンピュータ可読媒体。
［Ｃ２２］
Ｓは８バイトに等しく、Ｌは２N＊Ｓバイトに等しく、Ｎは１よりも大きい整数である、Ｃ２１に記載の非一時的コンピュータ可読媒体。
［Ｃ２３］
前記しきい値は、前記比較的小さいサイズの前記ブロック確認応答ビットマップが基本送信レートで前記他のワイヤレスデバイスに送信され得るのと同じまたはより小さい送信持続時間内に、前記比較的大きいサイズの前記ブロック確認応答ビットマップが前記他のワイヤレスデバイスに送信され得る最小送信レートを示す、Ｃ２１に記載の非一時的コンピュータ可読媒体。
［Ｃ２４］
前記最小送信レートは４８Ｍｂｐｓを備え、前記基本送信レートは１２Ｍｂｐｓまたは２４Ｍｂｐｓを備える、Ｃ２３に記載の非一時的コンピュータ可読媒体。
［Ｃ２５］
前記送信レートを決定するための前記命令の実行は、前記ワイヤレスデバイスに、
前記受信されたデータフレームのうちの１つのヘッダから変調およびコーディング方式（ＭＣＳ）を抽出することと、
前記抽出されたＭＣＳに少なくとも部分的に基づいて、前記決定された送信レートを導出することと、
を行わせる、Ｃ１９に記載の非一時的コンピュータ可読媒体。
［Ｃ２６］
前記決定された送信レートを導出するための前記命令の実行は、前記ワイヤレスデバイスに、
前記ＭＣＳから探索鍵を生成することと、
ＭＣＳ値と送信レートとの間のいくつかのマッピングを記憶するルックアップテーブルから前記決定された送信レートを取り出すために前記探索鍵を使用することと、
を行わせる、Ｃ２５に記載の非一時的コンピュータ可読媒体。
［Ｃ２７］
前記命令の実行は、前記ワイヤレスデバイスに、前記データフレームを受信することに関連する復号問題に応答して、拡張フレーム間スペース（ＥＩＦＳ）持続時間を使用することを防ぐことをさらに行わせる、Ｃ１９に記載の非一時的コンピュータ可読媒体。
［Ｃ２８］
ワイヤレスデバイスであって、
他のワイヤレスデバイスから受信されたいくつかのデータフレームの送信レートを決定するための手段と、
前記決定された送信レートに少なくとも部分的に基づいてブロック確認応答ビットマップのサイズを選択するための手段と、
前記他のワイヤレスデバイスに送信されるべきブロック確認応答（ＢＡ）フレーム中に前記ブロック確認応答ビットマップを埋め込むための手段と、
を備える、ワイヤレスデバイス。
［Ｃ２９］
前記ブロック確認応答ビットマップの前記サイズは、前記ブロック確認応答ビットマップが前記他のワイヤレスデバイスに送信されるべきであるデータシンボルの数に少なくとも部分的に基づいてさらに選択される、Ｃ２８に記載のワイヤレスデバイス。
［Ｃ３０］
選択するための前記手段は、
前記決定された送信レートがしきい値よりも小さいかまたはそれに等しい場合、前記ブロック確認応答ビットマップのために比較的小さいサイズＳを選択することと、ここにおいて、Ｓは１よりも大きい整数であり、
前記決定された送信レートが前記しきい値よりも大きい場合、前記ブロック確認応答ビットマップのために比較的大きいサイズＬを選択することと、ここにおいて、Ｌは、Ｓの値の２倍に等しいかまたはそれよりも大きい整数である、
を行う、Ｃ２８に記載のワイヤレスデバイス。